(57)【特許請求の範囲】
【請求項１】
電話回線に接続される親機と、前記親機と無線接続される子機と、から構成されるコードレス電話装置であって、
前記親機は、子機と通信するための無線部と、留守番電話機能に対応するボイス鳴動を行うための複数種のボイスデータをその種別とともに蓄積したメモリと、スピーカと、を備え、
前記子機は、前記親機と双方向通信する無線部と、電話帳を記憶するメモリと、を備え、前記電話帳には、発信者電話番号と、必要に応じて該発信者電話番号に対応して、当該子機における着信音の種別と、前記親機のメモリに記憶されたボイスデータの種別を記憶し、
前記親機において、ナンバーディスプレイサービスを利用し、発信者電話番号に応じたボイスデータを用いて前記ボイス鳴動を行う際、前記親機は発信者電話番号を含む発ＩＤを取得して前記子機に送信し、前記子機は、前記親機から受信した発信者電話番号に基づいて、前記メモリの電話帳を参照し、発信者電話番号に対応したボイスデータの種別が記憶されている場合、該ボイスデータの種別を前記親機に送信し、前記親機は前記子機から受信したボイスデータの種別に従って、前記メモリに記憶したボイスデータを読み出して出力することを特徴とするコードレス電話装置。
【請求項２】
前記親機は前記子機の電源部に含まれる充電器に対する充電のための充電端子を有する充電部を備えたことを特徴とする請求項１に記載のコードレス電話装置。
【請求項３】
前記子機は、該子機に対する着信があった場合、前記メモリの電話帳を参照し、電話帳の発信者電話に対応したボイスデータの種別が記憶されておらず、着信音の種別が記憶されていると、該着信音の種別に応じた着信音を出力することを特徴とする請求項１または請求項２に記載のコードレス電話装置。
【発明の詳細な説明】
【技術分野】
【０００１】
本発明は、無線通信により通信する親機と子機からなり、発信者電話番号によって着信音（着信メロディを含む）を切り替える機能を有するコードレス電話装置に関するものであり、特に、親機が通話機能を持たず留守番電話機能のみを有する構成である場合に、子機に記憶された電話帳を用いて発信者電話番号を特定し、親機において発信者電話番号に応じた着信音の鳴り分けを行うように構成したコードレス電話装置に関するものである。
【背景技術】
【０００２】
従来からオフィスや家庭において、公衆回線網に接続される加入電話のような固定電話装置の他、無線通信機能により結ばれる親機と子機からなるコードレス電話装置が広く使用されている。近年では親機にファクシミリ機能を備えたコードレス電話装置機も普及している。
【０００３】
ところで、近年では通信事業者によるダイヤル付加番号サービスによって種々のサービスが提供されている。例えば、ナンバーディスプレイサービスと称されるサービスでは、電話番号の前に特定のダイヤル付加番号「１８４」を付加して発信すると、同サービスに加入している相手方の電話機の表示部に発信側の電話番号を非表示（番号非通知）とすることができる。一方、番号通知をするダイヤル付加番号を付加すると相手方の電話機の表示部に発信側の電話番号が表示される。これにより着信側は相手方の発信番号の通知、非通知を判断して迷惑電話には対応しないなどの対応が取れるようになる。
【０００４】
また、電話装置に着信があった場合、着信音（呼び出し音）が電話装置のスピーカを通して発音されるが、着信の際にユーザの好みによって特定の着信音に切り替えて着信音を発生することも一般的に行われている。例えば、オフィス内において内線と外線により異なる着信音とする着信音切り替え制御方法や、ナンバーディスプレイサービスを利用して家族の携帯電話装置からの着信とそれ以外の電話装置からの着信、あるいは個々の発信側電話番号に応じてそれぞれ異なる着信音とするような着信音切り替え制御方法が一般的に利用されている。
【０００５】
最近では、着信音の音源としてユーザの好みの音楽データを保存しておきこれを再生する、いわゆる着信メロディを着信音として使用する機能が好まれている。このような機能は携帯電話において広く普及している。コードレス電話装置においても同様に音源として音楽データを記憶しておき、発信者側電話番号に応じたボイス鳴動による着信音の切り替え（鳴り分け）をすることができる。
【０００６】
例えば、下記の特許文献１（特開２００７−１３８７６号公報）には、親機から子機に送信する着信信号に子機側において切り替えるべき着信音を指示する着信音識別符号を付加するように構成したコードレス電話装置の発明が開示されている。
【０００７】
このコードレス電話装置は電話回線に接続される親機と、親機と無線接続される子機と、から構成され、子機は、親機と双方向通信する無線部と、複数の着信音の音源データを識別符号と対応付けて記憶したメモリと、メモリから読み出された音源データを再生出力する出力部（マイク・スピーカ部）とを備え、親機は電話回線から着信があった場合、子機に送信する着信データに着信音を特定する識別符号を付加して子機に送信し、子機３０は識別符号に応じた音源データを出力部で再生出力するように構成されたものである。
【０００８】
このようなコードレス電話装置において、親機が留守番電話機能を有しており、ナンバーディスプレイサービスを利用して発信者電話番号によって着信音（着信メロディーを含む）を切り替えるように構成する場合、図７のような構成を取ることができる。図７において、親機２００と子機１００とは無線通信により通信し、親機２００のメモリには電話帳２０１と、が記憶される。また、子機１００のメモリには電話帳１０１が記憶される。
【０００９】
子機１００の電話帳１０１には、登録された電話番号、相手方の名前に対応して着信音、例えば、ベル音１やメロディ２、メロディ３のようにその種別が記憶（登録）されている。また、親機２００の留守番電話ボイス登録データ２０２には、留守番電話機能が作動した場合に、ボイス鳴動する複数のデータがその種別（識別符号）とともに記憶されており、電話帳２０２には、登録された電話番号、相手方の名前に対応して着信音、例えば、ベル音１やメロディ２、メロディ３と留守番電話機能においてボイス鳴動させるデータの種別を登録することができる。
【００１０】
このような構成によれば、親機２００に着信があった際に、親機２００で発信者電話番号によって電話帳２０１に登録された設定に基づいて着信音の鳴り分けができ、また留守番原話機能が作動している場合に、発信者電話番号によって電話帳２０１に登録された設定に基づいて、留守番電話ボイス登録データ２０２に登録されたデータを用いてボイス鳴動させることができる。また、親機２００から子機１００に着信情報（発信者電話番号
等）を送り、子機１００の電話帳１０１に登録された設定に基づいて子機１００においても着信音の鳴り分けができる。
【００１１】
また、近年のコードレス電話装置においては、通話機能を持たず留守番電話機能のみを有する構成の親機を用い、通話はもっぱら子機において行うコードレス電話装置も提供されている。更に、親機と子機との間の通信方式をデジタル無線通信方式とし、親機の操作ボタンをなくし、子機の操作部を携帯電話のような操作部とし、子機により操作を中心としたコードレス電話装置も知られている。
【００１２】
例えば、下記の特許文献２（特開２００６−２５００２０号公報）には、親機と子機との間の通信方式をデジタル無線通信方式としたコードレス電話装置の発明が開示されている。このコードレス電話装置は、親機と子機間の通信にデジタル無線通信方式を適用し、子機の操作を携帯電話のような方式を採用することで、親機の操作ボタンをなくすことができ、無線通信方式にパソコン無線ＬＡＮと同じ方式を採用することで子機がインターネット無線電話器にもなりうるようにしたものである。
【００１３】
通話機能を持たず留守番電話機能のみを有する構成の親機を用い、通話はもっぱら子機において行うコードレス電話装置は、図８のように構成することができる。図８において親機２００と子機１００とは無線通信により通信し、子機１００のメモリには電話帳１０１が記憶される。親機２００は通話機能を持たないため電話帳は記憶されない。このような構成によると、ボイス再生回路は親機２００しか持たず、電話帳１０１を持つのは子機１００だけとなるため、上記特許文献１に開示された技術を適用して、発信者電話番号による着信音の鳴り分けで親機２００におけるボイス鳴動はできない。
【特許文献１】特開２００７−１３８７６号公報
【特許文献２】特開２００６−２５００２０号公報
【発明の開示】
【発明が解決しようとする課題】
【００１４】
コードレス電話装置において、親機は一般には、図７に示したように、電話帳機能や留守番電話機能を備えており、ナンバーディスプレイサービスを利用する場合には、発信者電話番号から電話帳を参照することができる。従って、その発信者電話番号によって着信音（着信メロディーを含む）を切り替える（鳴り分けをする）場合、電話帳に登録した電話番号に応じて予め異なる着信音の種別を設定しておけば、着信音の鳴り分けができる。
【００１５】
また、子機においても同様に、親機から送られる発信者電話番号により電話帳に予め登録しておいた相手先（発信者側電話番号）に応じた着信音を外線着信音として鳴動させることができる。
【００１６】
しかしながら、近年のコードレス電話装置においては、図８に示すように、通話機能を持たず留守番電話機能のみを有する構成の親機を用い、通話はもっぱら子機において行う構成の装置が提供されている。このようなコードレス電話装置においては、ボイス再生回路は親機しか持たず、電話帳を持つのは子機だけとでなるため、上記特許文献１に開示された技術を適用して、発信者電話番号による着信音の鳴り分けでボイス鳴動をすることができないという問題点がある。
【００１７】
本願の発明者は上記の問題点を解消すべく種々検討を重ねた結果、無線通信により通信する親機と子機からなり、発信者電話番号によって着信音（着信メロディーを含む）を切り替える機能を有するコードレス電話装置に関するものであり、特に、親機が通話機能を持たず留守番電話機能のみを有する構成である場合に、子機に記憶された電話帳を用いて発信者電話番号を特定し、親機において発信者電話番号に応じた着信音の鳴り分けでボイス鳴動を行うようになせば上記の問題点を解消し得ることに想到して本発明を完成するに至ったものである。
【００１８】
すなわち、本発明は上記の問題点を解消することを課題とし、親機が通話機能を持たず留守番電話機能のみを有するコードレス電話装置において、子機に記憶された電話帳を用いて発信者電話番号を特定し、親機において発信者電話番号に応じた着信音の鳴り分けでボイス鳴動を行うようにしたコードレス電話装置を提供することを目的とするものである。
【課題を解決するための手段】
【００１９】
前記課題を解決するために、本願の請求項１にかかる発明は、電話回線に接続される親機と、前記親機と無線接続される子機と、から構成されるコードレス電話装置であって、
前記親機は、子機と通信するための無線部と、留守番電話機能に対応するボイス鳴動を行うための複数種のボイスデータをその種別とともに蓄積したメモリと、スピーカと、を備え、前記子機は、前記親機と双方向通信する無線部と、電話帳を記憶するメモリと、を備え、前記電話帳には、発信者電話番号と、必要に応じて該発信者電話番号に対応して、当該子機における着信音の種別と、前記親機のメモリに記憶されたボイスデータの種別を記憶し、前記親機において、ナンバーディスプレイサービスを利用し、発信者電話番号に応じたボイスデータを用いて前記ボイス鳴動を行う際、前記親機は発信者電話番号を含む発ＩＤを取得して前記子機に送信し、前記子機は、前記親機から受信した発信者電話番号に基づいて、前記メモリの電話帳を参照し、発信者電話番号に対応したボイスデータの種別が記憶されている場合、該ボイスデータの種別を前記親機に送信し、前記親機は前記子機から受信したボイスデータの種別に従って、前記メモリに記憶したボイスデータを読み出して出力することを特徴とするコードレス電話装置。
【００２０】
また、本願の請求項２にかかる発明は、請求項１にかかるコードレス電話装置において、前記親機は前記子機の電源部に含まれる充電器に対する充電のための充電端子を有する充電部を備えたことを特徴とする。
【００２１】
また、本願の請求項３にかかる発明は、請求項１または請求項２にかかるコードレス電話装置において、前記子機は、該子機に対する着信があった場合、前記メモリの電話帳を参照し、電話帳の発信者電話に対応したボイスデータの種別が記憶されておらず、着信音の種別が記憶されていると、該着信音の種別に応じた着信音を出力することを特徴とする。
【発明の効果】
【００２２】
請求項１にかかる発明においては、親機は通話機能を有せず、子機と通信するための無線部と、留守番電話機能に対応するボイス鳴動を行うための複数種のボイスデータをその種別とともに蓄積したメモリと、スピーカと、を備え、前記子機は、前記親機と双方向通信する無線部と、電話帳を記憶するメモリと、を備え、前記電話帳には、発信者電話番号と、必要に応じて該発信者電話番号に対応して、当該子機における着信音の種別と、前記親機のメモリに記憶されたボイスデータの種別を記憶し、前記親機において、ナンバーディスプレイサービスを利用し、発信者電話番号に応じたボイスデータを用いて前記ボイス鳴動を行う際、前記親機は発信者電話番号を含む発ＩＤを取得して前記子機に送信し、前記子機は、前記親機から受信した発信者電話番号に基づいて、前記メモリの電話帳を参照し、発信者電話番号に対応したボイスデータの種別が記憶されている場合、該ボイスデータの種別を前記親機に送信し、前記親機は前記子機から受信したボイスデータの種別に従って、前記メモリに記憶したボイスデータを読み出して出力する。
【００２３】
かかる構成によれば、親機が通話機能を持たず留守番電話機能のみを有するコードレス電話装置において、子機に記憶された電話帳を用いて発信者電話番号を特定し、親機において発信者電話番号に応じた着信音の鳴り分けでボイス鳴動を行うことができるようになる。
また、請求項２にかかる発明においては、請求項１にかかるコードレス電話装置において、親機は前記子機の電源部に含まれる充電器に対する充電のための充電端子を有する充電部を備えた。かかる構成によれば、子機に対する充電台と親機を一体化でき、子機の充電台を別途設ける必要がなくなる。
【００２４】
また、請求項３にかかる発明においては、請求項１または請求項２にかかるコードレス電話装置おいて、子機は、該子機に対する着信があった場合、前記メモリの電話帳を参照し、電話帳の発信者電話に対応したボイスデータの種別が記憶されておらず、着信音の種別が記憶されていると、該着信音の種別に応じた着信音を出力する。
【００２５】
かかる構成によれば、子機に対する着信があり、親機において発信者電話番号に応じた着信音の鳴り分けでボイス鳴動を行うことができない場合に、子機において着信音の鳴り分けで着信放置の出力ができるようになる。
【発明を実施するための最良の形態】
【００２６】
以下、本発明の具体例を実施例及び図面を用いて詳細に説明する。但し、以下に示す実施例は、本発明の技術思想を具体化するためのコードレス電話装置を例示するものであって、本発明をこのコードレス電話装置に特定することを意図するものではなく、特許請求の範囲に含まれるその他の実施形態のコードレス電話装置にも等しく適用し得るものである。
【実施例】
【００２７】
図１は、本発明の実施例にかかるコードレス電話装置の外観を示す図である。以下の実施例においては、コードレス電話装置において、着信の際の着信音の鳴り分け、およびボイス鳴動時の構成について説明する。
【００２８】
コードレス電話装置は親機２０と子機１とが無線で接続された構成となっており、子機１から親機２０を介して通話の受信、発信が行えるようになっている。親機２０は、通話機能を持たず、留守番電話機能を有し、ナンバーディスプレイサービスを利用して発信者電話番号を取得することができる。また、親機２０は通話機能を持たず、通話は専ら子機１を用いるものであるから、図１に示すように子機１の充電台を兼ねる構成であることが好ましい。
【００２９】
図２は、図１に示す本発明の実施例にかかるコードレス電話装置における発信者電話番号による着信の鳴り分けの機能を説明するための概念図である。親機２０は、通話機能を持たず、留守番電話機能に対応するためボイス再生回路、スピーカを備えているが、マイクを含む送受話器は有していない。通話機能を有していないため、親機２０のメモリは電話帳登録機能を備えていない。また、親機２０のメモリ部２６には、本発明による発信者電話番号に応じた着信の鳴り分けにおいてボイス鳴動させる際のボイスデータ２６１（例えば、ボイス１〜ボイス３の種別とそのボイスデータ）を記憶している。
【００３０】
子機１は通常の構成であるが、子機１のメモリ部４には電話帳４１の登録機能があり、名前、電話番号、着信音の種別（電話帳４１のベル音１やメロディ２等）を登録することができる他、本発明においては親機２０において着信鳴り分けでボイス鳴動させるためのボイスデータの種別（ボイス１〜ボイス３）を登録することができる。
【００３１】
ナンバーディスプレイサービスを利用して発信者電話番号を取得し、発信者電話番号に応じた着信音の鳴り分けで親機２０におけるボイス鳴動を行う場合、親機２０に着信があると、親機２０は発ＩＤ（発信者の電話番号などの発信者情報）を取得し、子機１に送信する。図２では親機２０が発信者電話番号「１２３４５６７８」を取得し、子機１にこれを送信している。
【００３２】
子機１は親機２０から発信者電話番号を受信すると、電話帳４１を参照（照合）し、発信者電話番号に対応してボイスデータの種別が登録されている場合には、子機１は親機２０にこのボイスデータの種別を照合データとして送信する。図２の例では電話番号「１２３４５６７８」にはボイスデータの種別「ボイス２」が登録されており、このデータが親機２０に照合データとして送信される。親機２０は、子機１からこのデータを受信すると、該当するボイスデータをメモリ部２６から読み出してボイス再生回路、スピーカを介してボイス鳴動させる。ボイス１は「＊＊＊＊に電話だよ」というボイスデータであり、このデータが再生される。
【００３３】
図３は、図２に示す親機２０の概略構成を示すブロック図である。コードレス電話装置の親機２０は、制御部２１、着信検出部２２、回線接続部２３、充電部２４、操作部２５、メモリ部２６、ＡＣアダプタ２７、電源部２８、送信部３０、受信部３１、周波数シンセサイザー３２、アンテナ３３、スピーカ（ＳＰ）３４、などを備えて構成されている。
【００３４】
制御部２１は、マイクロプロセッサを中心に構成され、一般的なコンピュータ装置と同様にＲＯＭ、ＲＡＭなどのメモリを備えており、ＲＯＭに格納されている各種制御プログラムを読み出し、ＲＡＭ内のプログラム格納領域に展開し、該制御プログラムに従って親機の各種制御を行う。
【００３５】
着信検出部２２は、外線から着信信号をパルス信号に波形整形して出力し、着信を検出する。回線接続部２３は、電話回線に接続されて回線の解放・閉結を行ったり、電話帳に記憶されている電話番号情報あるいは子機から転送された電話番号情報に基づいて発呼処理を行ったりして電話回線を介して外部の電話装置と接続する。
【００３６】
操作部２５は、留守番電話機能のオン、オフを設定するなど、親機２０を操作する最低限のボタン、スイッチを備えている。メモリ部２６は、ＲＡＭによって構成され、留守番電話機能におけるボイス鳴動のためのボイスデータを記憶している。電源部２８は、ＡＣアダプタ２７から所定電圧の直流を受けて、親機２０の各部に電源を供給する。充電部２４は子機１の充電部に接続する充電端子から構成される。
【００３７】
送信部３０と受信部３１は、アンテナ３３を介して子機との間に無線による通話リンクを確立させて、子機に対して信号の送受信を行い、周波数シンセサイザー３２は、信号発振を行い、制御部２１からの制御信号によって送信部３０と受信部３１の送受信周波数を切り換える。
【００３８】
スピーカ（ＳＰ）３４はボイス再生回路を構成する増幅回路で増幅された制御部２１内の音声信号処理部の電気信号を音声に変換して出力する。メモリ部２６に記憶されたボイスデータはスピーカ（ＳＰ）３４から出力され、ボイス鳴動させる。
【００３９】
図４は、図２に示す子機１の概略構成を示すブロック図である。子機１は、制御部１Ａ、表示部２、操作部３、メモリ部４、電源部５、充電部６、送信部８、受信部９、周波数シンセサイザー１０、アンテナ１１、レシーバ１２、スピーカ（ＳＰ）１３などを備えて構成されている。
【００４０】
なお、制御部1Ａは本発明の充電検出手段、回線捕捉手段、同期信号検出手段、制御手段に相当し、スピーカ（ＳＰ）１３は本発明のエラートーン鳴動手段に相当する。
【００４１】
制御部１Ａは、マイクロプロセッサを中心に構成され、一般的なコンピュータ装置と同様にＲＯＭ、ＲＡＭなどのメモリを備えており、ＲＯＭに格納されている各種制御プログラムを読み出し、ＲＡＭ内のプログラム格納領域に展開し、該制御プログラムに従って子機の各種制御を行う。また、制御部１Ａは、回線捕捉時や外線接続中に親機と通信不能になったときエラートーンを鳴らす制御を行う。
【００４２】
表示部２は、液晶パネルなどから構成される表示ユニットであり、制御部１Ａからの制御信号に応じて、電話帳から読み出した電話番号や相手先の名称、通話時間、通話料金などのテキストデータ、画像データを液晶画面に各種表示を行う。
【００４３】
操作部３は、数字や文字の入力などを行うテンキー、発呼および通話の開始などを操作する通話キー、通話の終了などを操作する終話キー、電話帳の登録・検索を操作する電話帳キー、各種モードを設定するための操作を行うモード設定キーなどからなり、テンキーや操作キーを操作し、発呼操作や各種データの入力を行う。
【００４４】
メモリ部４は、ＲＡＭによって構成され、制御部１Ａの動作に必要な情報（例えば、回線接続要求のリトライ回数など）や電話帳などの各種データが記憶されている。この電話帳には、名称、電話番号、メールアドレス、住所などの個人情報が記憶可能である。
【００４５】
電源部５は、充電式のバッテリーを内蔵し、子機の各部に電源を供給する。充電部６は、子機１が充電台（親機２０）に載置されている間、親機２０の充電部から与えられる所定の直流電圧により、電源部５のバッテリーの充電を行う。また、充電部６は、上記バッテリーの充電電流の有無を常時制御部１Ａに送り、それを受けて制御部１Ａは、バッテリーの充電状態を検出し、充電断を検出したとき、親機との間の回線捕捉を行う。
【００４６】
送信部８と受信部９は、アンテナ１１を介して後述する親機との間に無線による通話リンクを確立させて、親機に対して信号の送受信を行い、周波数シンセサイザー１０は、信号発振を行い、制御部１Ａからの制御信号によって送信部８と受信部９の送受信周波数を切り換える。
【００４７】
レシーバ１２は、スピーカ（ＳＰ）とマイク（ＭＩＣ）により通話を行う。スピーカ（ＳＰ）は増幅回路で増幅された制御部1Ａ内の音声信号処理部の電気信号を音声に変換して出力するためのものであり、マイク（ＭＩＣ）は電気信号に変換した音声を増幅回路で増幅して制御部1Ａ内の音声信号処理部に出力するためのものである。また、スピーカ（ＳＰ）１３は、親機２０との通信が不能になったとき等にエラートーンを鳴らして報知するためのものである。
【００４８】
図５は、発信者電話番号による着信の鳴り分けにおける親機２０の動作手順を示すフローチャートである。親機２０はステップＳ１０１の処理において回線からの呼出し音の検出有無を判定する。呼出し音以外を検出した場合はその他の処理（ステップＳ１０２）で検出結果に応じた処理を行いステップＳ１０１に戻る。
【００４９】
ステップＳ１０１の処理で呼出し音が検出されると親機２０は回線からたら発信者の発ＩＤを受信する（ステップＳ１０３）。この発ＩＤには発信者電話番号が含まれている。発ＩＤを受信すると親機２０は子機１に発ＩＤのデータを送信する（ステップＳ１０４）し、子機１からの応答を待つ。
【００５０】
そして親機２０は、ステップＳ１０５の処理で子機１から照合データを受信したかを判別する。照合データとは、図２で説明したように親機２０から受信した発信者電話番号に基づき、子機１において電話帳を参照（照合）し、発信者電話番号に対応して登録されているボイスデータの種別を示すデータである。
【００５１】
照合データの受信がない場合は、ステップＳ１０６でタイムオーバーが検出されるまでステップＳ１０５の処理に戻り、子機１からの照合データの受信を待つ。タイムオーバーが検出されるとステップＳ１０９の終了条件の判定処理に進む。
【００５２】
ステップＳ１０５の処理で子機１からの照合データの受信があると、ステップＳ１０７の処理において、親機２０はボイス鳴動をさせるデータ（ボイスの種別を示すデータ）があるか否かを判別し、このデータがなければステップＳ１０９の定終了条件の判定処理に進む。
【００５３】
ステップＳ１０７判別処理において、子機１からの照合データにボイス鳴動をさせるデータ（ボイスの種別を示すデータ）があると判別されると、親機２０は、ボイスの種別を示すデータに基づいてメモリ２６から該当するボイスデータ（図２の２６１参照）を読み出してスピーカ３４を介してボイス鳴動させる（ステップＳ１０８）。
【００５４】
ボイス鳴動が終わると、親機２０はステップＳ１０９の終了条件の判定を行い、終了条件が検出しれたら着信終了処理（ステップＳ１１０）を行って処理を終了し、終了条件が検出されなければ、ステップＳ１０９の終了条件の判定を繰り返す。
【００５５】
図６は、図５の親機２０の動作手順フローチャートに対応する子機１の動作手順を示すフローチャートである。子機１は、ステップＳ２０１の処理で親機２０からの発ＩＤデータを受信したか否かを判定する。発ＩＤデータ以外を検出した場合はその他の処理（ステップＳ２０２）で検出結果に応じた処理を行いステップＳ２０１に戻る。
【００５６】
発ＩＤデータを検出すると、子機１は発ＩＤデータに含まれる着信データの発信者電話番号とメモリ部４に記憶された電話帳（図２の４１参照）とを照合し、一致データがあると（ステップＳ２０４のＹＥＳ）、照合データを親機２０に送信する（ステップＳ２０５）。そして、ステップＳ２０６の判定処理でボイス鳴動があるか（ボイス種別データがあるか）を判別し、ボイス種別データがある場合は、子機１はステップＳ２０８の終了条件の判定処理に進む。
【００５７】
一方、ステップＳ２０４の判定処理で、一致データがないと、ステップＳ２０７の処理に進み、子機２０は着信のベル音またはメロディ音の鳴動処理を行い、ステップＳ２０８の終了条件判定処理に進む。子機１はステップＳ１０９の終了条件の判定を行い、終了条件が検出されたら着信終了処理（ステップＳ１１０）を行って処理を終了し、終了条件が検出されなければ、ステップＳ１０９の終了条件の判定を繰り返す。
【図面の簡単な説明】
【００５８】
【図１】本発明の実施例にかかるコードレス電話装置の外観を示す図である。
【図２】本発明の実施例にかかるコードレス電話装置における発信者電話番号による着信の鳴り分けの機能を説明するための概念図である。
【図３】本発明の実施例にかかる親機の構成を示すブロック図、
【図４】本発明の実施例にかかる子機の構成を示すブロック図である。
【図５】発信者電話番号による着信の鳴り分けにおける親機の動作手順を示すフローチャートである。
【図６】発信者電話番号による着信の鳴り分けにおける子機の動作手順を示すフローチャートである。
【図７】一般的なコードレス電話装置の機能を説明するための概念図である。
【図８】親機が通話機能を持たず留守番電話機能のみを有するコードレス電話装置の機能を説明するための概念図である。
【符号の説明】
【００５９】
２０・・・・・・親機
１・・・・・・・子機
１Ａ，２１・・・制御部
２・・・・・・・表示部
２４・・・・・・充電部
３，２５・・・・操作部
４，２６・・・・メモリ部
４１・・・・・・電話帳
２６１・・・・・ボイスデータ
５，２８・・・・電源部
６・・・・・・・充電部
７，２７・・・・ＡＣアダプタ
８，３０・・・・送信部
９，３１・・・・受信部
１０，３２・・・周波数シンセサイザー
１１，３３・・・アンテナ
１２・・・・・・レシーバ
１３・・・・・・スピーカ
２２・・・・・・着信検出部
２３・・・・・・回線接続部
３４・・・・・・スピーカ
【図１】
0005019330.tif 000002
【図２】
0005019330.tif 000003
【図３】
0005019330.tif 000004
【図４】
0005019330.tif 000005
【図５】
0005019330.tif 000006
【図６】
0005019330.tif 000007
【図７】
0005019330.tif 000008
【図８】
0005019330.tif 000009